(57)【要約】【課題】リフロー処理においてフラックス飛沫の軸受メタルの摺動面に対する付着を防止することができるリフロー式振動モータの提供。【解決手段】リフロー式振動モータは、モータケース１の一端側に固定された軸受メタル２から突出するモータ軸３に偏心錘４を取着して成る振動モータ本体１０と、このモータ本体１０を横臥姿勢で支持して印刷配線基板５０に設けた開口空部５０ａの中に陥没状態とするための据付部材２０と、モータケース１の他端側の開口に固定された樹脂製端蓋３０から延在して印刷配線基板５０上の電源給電パターン５１ａ，５１ｂに設置固着するべき給電端子片３４ａ，３４ｂとを備え、据付部材２０は、モータケース１の上に跨って固定されると共に開口空部５０ａの脇に設置される一対の据え置き面２１ａ，２１ｂを有し、モータケース１に跨って偏心錘４までを取り囲んでいる。【選択図】      図５
2010263742.tif 000002
【特許請求の範囲】
【請求項１】
モータケースの一端側に固定された軸受メタルから突出するモータ軸に偏心錘を取着して成る振動モータ本体と、このモータ本体を横臥姿勢で支持して配線基板に設けた切り欠き空部又は開口空部の中に陥没状態とするための据付部材と、前記モータケースの他端側の開口に固定された樹脂製端蓋から前記据付部材の外へ延在して前記配線基板上の電源給電パターンに設置固着するべき給電端子片とを備え、前記据付部材は、前記モータケースの上に跨って固定されると共に前記切り欠き空部又は前記開口空部の脇に設置される一対の据え置き面を有し、前記モータケースに跨って前記偏心錘までを取り囲んで成ることを特徴とするリフロー式振動モータ。
【請求項２】
請求項１に記載のリフロー式振動モータにおいて、前記据付部材は、前記モータ軸の前記偏心錘側の軸端を隙間を空けて受容する曲げ止め凹所を有することを特徴とするリフロー式振動モータ。
【請求項３】
請求項１又は請求項２に記載のリフロー式振動モータにおいて、前記据付部材が導電性であって無線アンテナとして利用することを特徴とするリフロー式振動モータ。
【発明の詳細な説明】
【技術分野】
【０００１】
本発明は、モータ本体から突出したモータ軸に偏心錘を取着した振動モータに関し、特に、リフロー処理で配線基板上に実装するに適したリフロー式振動モータに関する。
【背景技術】
【０００２】
従来、リフロー処理で配線基板上に面実装するに適したリフロー式振動モータの典型としては、モータ本体から突出したモータ軸に偏心錘を取着して成り、モータ本体を横臥姿勢で支持して配線基板に設けた切り欠き空部又は開口空部の中に陥没状態とする据付手段を備え、この据付手段は配線基板の片面側にあってモータケースの上に跨っており、また配線基板の片面であって切り欠き空部又は開口空部の脇に固定される一対の据え置き面をモータケースの両脇に有している。斯かるリフロー処理式の振動モータによれば、据付手段を自動機でピックアップして据え置き面を配線基板の切り欠き空部又は開口空部の脇に位置するクリーム半田塗布済みのパターン上に設置でき、配線基板を加熱炉に送り込むことでクリーム半田が溶融した後固化するので、据え置き面を半田固着できる。
【先行技術文献】
【特許文献】
【０００３】
【特許文献１】特開２００５−３１２２８２（図１）
【発明の概要】
【発明が解決しようとする課題】
【０００４】
上記リフロー式振動モータのリフロー処理において、加熱炉内で固着パターン上のクリーム半田が溶融する際、それに含まれるフラックスの飛散が発生し、その飛沫がモータ軸の軸受メタルの摺動面に付着してしまう現象を起し得る。斯かる場合、モータの短寿命化などの原因となり得る。配線基板上の１つの部品である振動モータだけにでも上記の不具合があれば、配線基板全体の交換も余儀無くされる。
【０００５】
そこで上記問題点に鑑み、本発明の課題は、リフロー処理においてフラックス飛沫の軸受メタルの摺動面に対する付着を防止することができるリフロー式振動モータを提供することにある。
【課題を解決するための手段】
【０００６】
本発明に係るリフロー振動モータは、モータケースの一端側に固定された軸受メタルから突出するモータ軸に偏心錘を取着して成る振動モータ本体と、この振動モータ本体を横臥姿勢で支持して配線基板に設けた切り欠き空部又は開口空部の中に陥没状態とするための据付部材と、モータケースの他端側の開口に固定された樹脂製端蓋から据付部材の外へ延在して配線基板上の電源給電パターンに設置固着するべき給電端子片とを備え、据付部材は、モータケースの上に跨って固定されると共に切り欠き空部又は開口空部の脇に設置される据え置き面を有し、モータケースに跨って偏心錘までを取り囲んで成ることを特徴とする。
【０００７】
このような据付部材に覆われた振動モータにおいては、配線基板への自動実装とリフロー処理が可能であると共に、リフロー時のフラックス飛散に伴う飛沫が振動モータ本体に当るのを据付部材で除けることができるから、振動モータ本体における軸受メタルの摺動面に対する付着を防止できる。
【０００８】
据付部材はモータ軸の偏心錘側の軸端を隙間を空けて受容する曲げ止め凹所を有する場合、偏心錘を持つモータ軸に衝撃発生時の強い曲げモーメントが加わっても、軸端がモータ軸の僅かな撓みだけで曲げ止め凹所に当り止まるため、モータ軸が塑性変形に至るような大きな屈曲状態を生じるのを防止でき、軸屈曲の耐衝撃性を大幅に向上できる。
【０００９】
なお、このような据付部材に囲まれた振動モータが携帯電話機などの無線機器用の配線基板に実装される場合は、導電性の据付部材自身を無線アンテナとして利用するのが望ましい。導線性の据付部材が偏心錘を取り囲んでいるため、偏心錘の停止位置の如何や回転中においてもアンテナ特性の指向が変化せず、アンテナ機能を阻害しなくなるので、偏心錘を持つリフロー式振動モータをアンテナとして実用化できる。
【発明の効果】
【００１０】
本発明のリフロー式振動モータによれば、給電端子片におけるリフロー時のフラックス飛散に伴う飛沫を据付部材で除けることができるから、その内部にある軸受メタルの摺動面に対する付着を防止できる。
【図面の簡単な説明】
【００１１】
【図１】本発明の一実施例に係るリフロー式振動モータを示す縦断側面図である。
【図２】同リフロー式振動モータにおいて振動モータ本体と据付部材の組立態様を示す斜視図である。
【図３】同組立態様を示す縦断側面図である。
【図４】（Ａ）は同リフロー式振動モータを印刷配線基板に実装した状態を示す斜視図、（Ｂ）はその状態を別の角度から見た斜視図である。
【図５】同リフロー式振動モータを印刷配線基板に実装した状態を示す縦断側面図である。
【発明を実施するための形態】
【００１２】
次に、本発明の実施形態を添付図面に基づいて説明する。
【００１３】
本例のリフロー式振動モータは、振動モータ本体１０とこれを被覆する細長箱型状の据付部材２０とを備えている。この振動モータ本体１０はブラシ付きマイクロモータで、円筒状金属製のモータケース１のバーリング部１ａ内に固定された軸受メタル２から突出するモータ軸３と、このモータ軸３に取着した重金属製の偏心錘４とを有する。モータ軸３の軸端３ａは偏心錘４から若干突出している。モータケース１の内周面にはアウターマグネットＭが接着されている。モータ軸３に挿入された積層コア５にはコイル６が巻回されていると共に、モータ軸３に挿入された樹脂製の整流子ホルダ７は樹脂ワッシャー８で整流子９を輪留めして保持しており、電気火花防止用のバリスタＢを担持し、これらがインナーロータを構成している。モータケース１の開口は樹脂製端蓋３０で塞がれており、この樹脂製端蓋３０は軸受１１とブラシ１２とを収納している。この樹脂製端蓋３０には対応するブラシ１２に接続した一対の中継端子３３ａ，３３ｂが貫通して後方へ突出しており、突出した部分を挟むようして斜めに接続された給電端子片３４ａ，３４ｂが振動モータ本体１０の横臥姿勢で印刷配線基板５０上の電源給電パターン５１ａ，５１ｂに設置して固着するべき接合面３５ａ，３５ｂを有している。
【００１４】
据付部材２０は、底面と１つの短側面が開放状態であり、両長側面部の下端から側方へ折れ曲がって張り出て印刷配線基板５０上の固着パターン５２ｂ（図４に一方のみ図示）に設置して固着すべき据え置き面２１ａ，２１ｂと、他の短側面の下端から折れ曲がって張り出て印刷配線基板５０上の固着パターン５２ｃに設置して固着すべき据え置き面２１ｃとを有する。据付部材２０の短側面の外側は突起部２２を有しており、この突起部２２の内部は、軸端３ａを隙間を空けて受容する曲げ止め凹所Ｗとなっている。そして、この据付部材２０は上面の溶接窪み箇所２３に対しスポット溶接を施し、モータケース１と固定されている。
【００１５】
本例のリフロー振動モータは、振動モータ本体１０が据付部材２０で覆われているため、振動モータ本体１０を横臥姿勢で支持して印刷配線基板５０の開口空部５０ａの中に陥没状態で設置でき、リフロー処理が可能であると共に、リフロー時のフラックス飛散に伴う飛沫が振動モータ本体１０に当るのを据付部材２０で除けることができるから、振動モータ本体１０における軸受メタル２の摺動面に対する付着を防止できる。
【００１６】
据付部材２０は曲げ止め凹所Ｗを有するため、偏心錘４を持つモータ軸３に衝撃発生時の強い曲げモーメントが加わっても、軸端３ａがモータ軸３の僅かな撓みだけで曲げ止め凹所Ｗに当り止まるので、モータ軸３が塑性変形に至るような大きな屈曲状態を生じるのを防止でき、軸屈曲の耐衝撃性を大幅に向上できる。
【００１７】
なお、このような据付部材２０に囲まれた振動モータが携帯電話機などの無線機器用の配線基板に実装される場合は、導電性の据付部材２０自身を無線アンテナとして利用することができる。導電性の据付部材２０が偏心錘４を取り囲んでいるため、偏心錘４の停止位置の如何や回転中においてもアンテナ特性の指向が変化せず、アンテナ機能を阻害しなくなるので、偏心錘４を持つリフロー式振動モータをアンテナとして実用化できる。
【符号の説明】
【００１８】
１…モータケース
１ａ…バーリング部
２…軸受メタル
３…モータ軸
３ａ…軸端
４…偏心錘
５…積層コア
６…コイル
７…整流子ホルダ
８…樹脂ワッシャー
９…整流子
１０…振動モータ本体
１１…軸受
１２…ブラシ
２０…据付部材
２１ａ，２１ｂ，２１ｃ…据え置き面
２２…突起部
２３…溶接窪み箇所
３０…樹脂製端蓋
３３ａ，３３ｂ…中継端子
３４ａ，３４ｂ…給電端子片
３５ａ，３５ｂ…接合面
５０…印刷配線基板
５１ａ，５１ｂ…電源給電パターン
５２ｂ，５２ｃ…固着パターン
Ｂ…バリスタ
Ｍ…アウターマグネット
Ｗ…曲げ止め凹所
【図１】
2010263742.tif 000003
【図２】
2010263742.tif 000004
【図３】
2010263742.tif 000005
【図４】
2010263742.tif 000006
【図５】
2010263742.tif 000007